(57)【特許請求の範囲】
【請求項１】
複数の電子マネー種による電子マネー決済機能を備えた携帯端末において、
複数の電子マネー種毎の残高を記憶する残高記憶手段と、
店舗で利用可能な電子マネー種を表す店舗マネー種および当該店舗で決済される利用金額を取得する取得手段と、
複数の電子マネー種の中から前記取得手段により取得された店舗マネー種に一致する電子マネー種毎の残高を前記残高記憶手段から読み出す残高読み出し手段と、
前記残高読み出し手段により読み出され、店舗で利用可能な電子マネー種毎の残高の内、前記取得手段により取得された利用金額以上の残高がある電子マネー種を抽出する抽出手段と、
前記抽出手段により抽出された電子マネー種の中で最も残高の多い電子マネー種を選択する選択手段と、
前記選択手段により選択された電子マネー種による電子マネー決済機能を実行させる決済実行手段と
を具備することを特徴とする携帯端末装置。
【請求項２】
複数の電子マネー種による電子マネー決済機能を備えた携帯端末に搭載されるコンピュータに、
店舗で利用可能な電子マネー種を表す店舗マネー種および当該店舗で決済される利用金額を取得する取得ステップと、
予め複数の電子マネー種毎の残高をメモリに記憶させておき、複数の電子マネー種の中から前記取得ステップで取得された店舗マネー種に一致する電子マネー種毎の残高を当該メモリから読み出す残高読み出しステップと、
前記残高読み出しステップにて読み出され、店舗で利用可能な電子マネー種毎の残高の内、前記取得ステップで取得された利用金額以上の残高がある電子マネー種を抽出する抽出ステップと、
前記抽出ステップで抽出された電子マネー種の中で最も残高の多い電子マネー種を選択する選択ステップと、
前記選択ステップで選択された電子マネー種による電子マネー決済機能を実行させる決済実行ステップと
を実行させることを特徴とする携帯端末処理プログラム。
【発明の詳細な説明】
【技術分野】
【０００１】
本発明は、複数の電子マネー種の内から決済に最も好適な電子マネー種を自動的に選択する携帯端末装置および携帯端末処理プログラムに関する。
【背景技術】
【０００２】
「おサイフケータイ（登録商標）」と呼ばれ、非接触ＩＣチップを搭載してプリペイド方式で電子マネーサービスを具現する携帯端末装置が普及しつつある。この種の装置として、例えば特許文献１には、複数の電子マネー種を有し、それらの中からユーザ操作により選択された種類の電子マネー種で電子マネー決済する機能を具備した端末装置が開示されている。
【先行技術文献】
【特許文献】
【０００３】
【特許文献１】特開２００６−３０１７８０号公報
【発明の概要】
【発明が解決しようとする課題】
【０００４】
ところで、上記特許文献１に開示の装置では、複数の電子マネー種の内から決済に用いる電子マネー種をユーザ自ら選択することになるが、選択した電子マネー種がレジ端末（ＰＯＳ端末）で使用可能な電子マネー種と異なる場合には、そのレジ端末で使用可能な電子マネー種に選択し直さなければならず、その操作が煩わしいという弊害が生じる。
【０００５】
そこで、この煩わしさを回避する為、複数の電子マネー種の内の何れかを予め選択しておくのではなく、何れの電子マネー種でも利用可能な状態にしておくことも考えられるが、そのようにすると、例えば決済額に応じてユーザに還元されるポイント（換金値）が電子マネー種毎に異なる状況において、ポイント還元率の高い電子マネー種で決済可能であるにもかかわらずポイント還元率の低い電子マネー種が選択されて決済に用いられる等、ユーザが意図しない電子マネー種で決済されてしまう不都合も起こり得る。つまり、言い換えれば、複数の電子マネー種の内から決済に最も好適な電子マネー種を自動的に選択することが出来ないという問題がある。
【０００６】
本発明は、このような事情に鑑みてなされたもので、複数の電子マネー種の内から決済に最も好適な電子マネー種を自動的に選択することができる携帯端末装置および携帯端末処理プログラムを提供することを目的としている。
【課題を解決するための手段】
【０００７】
上記目的を達成するため、請求項１に記載の発明では、複数の電子マネー種による電子マネー決済機能を備えた携帯端末において、複数の電子マネー種毎の残高を記憶する残高記憶手段と、店舗で利用可能な電子マネー種を表す店舗マネー種および当該店舗で決済される利用金額を取得する取得手段と、複数の電子マネー種の中から前記取得手段により取得された店舗マネー種に一致する電子マネー種毎の残高を前記残高記憶手段から読み出す残高読み出し手段と、前記残高読み出し手段により読み出され、店舗で利用可能な電子マネー種毎の残高の内、前記取得手段により取得された利用金額以上の残高がある電子マネー種を抽出する抽出手段と、前記抽出手段により抽出された電子マネー種の中で最も残高の多い電子マネー種を選択する選択手段と、前記選択手段により選択された電子マネー種による電子マネー決済機能を実行させる決済実行手段とを具備することを特徴とする。
【０００８】
請求項２に記載の発明では、複数の電子マネー種による電子マネー決済機能を備えた携帯端末に搭載されるコンピュータに、店舗で利用可能な電子マネー種を表す店舗マネー種および当該店舗で決済される利用金額を取得する取得ステップと、予め複数の電子マネー種毎の残高をメモリに記憶させておき、複数の電子マネー種の中から前記取得ステップで取得された店舗マネー種に一致する電子マネー種毎の残高を当該メモリから読み出す残高読み出しステップと、前記残高読み出しステップにて読み出され、店舗で利用可能な電子マネー種毎の残高の内、前記取得ステップで取得された利用金額以上の残高がある電子マネー種を抽出する抽出ステップと、前記抽出ステップで抽出された電子マネー種の中で最も残高の多い電子マネー種を選択する選択ステップと、前記選択ステップで選択された電子マネー種による電子マネー決済機能を実行させる決済実行ステップとを実行させることを特徴とする。
【発明の効果】
【００１２】
本発明によれば、複数の電子マネー種の内から決済に最も好適な電子マネー種を自動的に選択することができる。
【図面の簡単な説明】
【００１３】
【図１】携帯電話１０が有する主要機能の概要を説明する為のシステム構成図である。
【図２】携帯電話１０の構成を示すブロック図である。
【図３】ＲＡＭ１０２の電子マネー別店舗利用テーブル記憶部１０２ａに設けられる電子マネー別店舗利用テーブルＴ１の一構成例を示す図である。
【図４】ＲＡＭ１０２の電子マネー管理テーブル記憶部１０２ｂに設けられる電子マネー管理テーブルＴ２の一構成例を示す図である。
【図５】ＲＡＭ１０２の電子マネー使用履歴テーブル記憶部１０２ｃに設けられる電子マネー使用履歴テーブルＴ３の一構成例を示す図である。
【図６】ＲＡＭ１０２の特典テーブル記憶部１０２ｄに設けられる特典テーブルＴ４の一構成例を示す図である。
【図７】ＲＡＭ１０２の店舗コード検索テーブル記憶部１０２ｅに設けられる店舗コード検索テーブルＴ５の一構成例を示す図である。
【図８】メインルーチンの動作を示すフローチャートである。
【図９】メインルーチンの動作を示すフローチャートである。
【図１０】メインルーチンの動作を示すフローチャートである。
【図１１】メインルーチンの動作を示すフローチャートである。
【図１２】メインルーチンの動作を示すフローチャートである。
【図１３】メインルーチンの動作を示すフローチャートである。
【図１４】電子マネー種の変更をユーザに案内するマネー種変更案内画面の一例を示す図である。
【発明を実施するための形態】
【００１４】
以下、図面を参照して本発明の実施の一形態について説明する。
Ａ．構成  
（１）システム構成
図１は、本実施形態による携帯電話１０が有する主要機能の概要を説明する為のシステム構成図である。携帯電話１０は、移動無線通信機能およびメール送受信機能を備える。移動無線通信機能を用いて通話する場合、携帯電話１０は、位置登録している基地局ＢＳを介して発信側の交換機ＳＷに発呼する。発信側の交換機ＳＷは、発呼に応じて、無線通信網ＲＮ中に設けられる加入者登録サーバ（不図示）から問い合せた着番号（加入者番号）および位置登録情報に基づき着信側の交換機ＳＷを呼出す。着信側の交換機ＳＷは、着信側の基地局ＢＳを介して着信側の携帯電話１０（不図示）を呼出し、これに応じて着信側が着呼応答すると、発信側の交換機ＳＷと着信側の交換機ＳＷとのリンクが確立して通話可能になる。
【００１５】
メール送受信機能を用いて携帯電話１０から送信されるメールは、基地局ＢＳ、交換機ＳＷおよび無線通信網ＲＮ中に設けられるゲートウェイサーバ（不図示）を経てインターネット上のメールサーバ（不図示）に伝送される。メールサーバは、上述とは逆の経路で宛先のメールアドレスを有する携帯電話１０にメールを送るようになっている。
【００１６】
携帯電話１０は、上述した移動無線通信機能を用い、無線通信網ＲＮを経由してネットワーク上の電子マネーサービス管理装置３０（サービスプロバイダ）にアクセスして電子マネー決済機能を具現する為の電子マネーアプリケーションソフト（以下、電子マネーアプリと略称する）をダウンロードする機能を備える。携帯電話１０では、このダウンロード機能を用い、電子マネー種が異なる各サービスプロバイダの電子マネーサービス管理装置３０からそれぞれ対応する電子マネー種の電子マネーアプリをダウンロードすることによって、複数の電子マネー種に対応した電子マネー決済機能を実行できるようになっている。
【００１７】
携帯電話１０は、電子マネーアプリで具現される電子マネー決済機能の他、オンラインチャージ機能や、本発明の要旨に係わる電子マネー種抽出機能および電子マネー種自動選択機能を備える。オンラインチャージ機能とは、上述した移動無線通信機能を用い、無線通信網ＲＮを経由してネットワーク上の電子マネーサービス管理装置３０、すなわち利用したい電子マネー種の電子マネーサービスを提供するサービスプロバイダの電子マネーサービス管理装置３０に接続し、自己内蔵の非接触ＩＣチップ（後述する）に記憶される認証情報（例えばプリペイド番号）に基づきアクセス認証してからチャージ額（入金額）を当該管理装置３０に登録する一方、これに応じて当該管理装置３０が発生する指示に従って自己内蔵の非接触ＩＣチップに記憶される電子マネー残高を更新する機能を指す。
【００１８】
携帯電話１０が備える電子マネー種抽出機能は、図１に図示する店舗装置２０を備えた店舗において利用可能になる。店舗装置２０は、レジ端末２０ａ（ＰＯＳ端末）、リーダライタ２０ｂおよびリーダライタ２０ｃから構成される。レジ端末２０ａは、携帯電話１０と非接触データ通信するリーダライタ２０ｂおよびリーダライタ２０ｃのリード／ライト動作を制御すると共に、ネットワークを経由して電子マネーサービス管理装置３０と電子マネー決済に必要なデータを授受する。
【００１９】
リーダライタ２０ｂは、例えばレジ端末２０ａに一体化され、当該レジ端末２０ａの制御の下に、携帯電話１０が備える非接触ＩＣチップ（後述する）との間で電子マネー決済に必要なデータを授受する。リーダライタ２０ｃは、例えば店舗出入り口の自動ドア付近に設けられ、客入店時に携帯電話１０が備える非接触ＩＣチップに対して店舗コードと当該店舗で利用可能な電子マネーの種類を表す利用可能マネー種コードとを含む店舗データを送出する。携帯電話１０は、上記構成の店舗装置２０を備えた店舗への入店時に、リーダライタ２０ｃから送出される店舗データを受信して電子マネー種抽出機能を実行し、受信した店舗データから店舗コードおよび利用可能マネー種コードを抽出する。
【００２０】
電子マネー種自動選択機能は、上述した電子マネー種抽出機能により得た店舗コードおよび利用可能マネー種コードに基づき、店舗コードで指定される店舗で使用した電子マネー種毎の使用状況を勘案して最も決済に好適な電子マネー種を自動的に選択したり、あるいは電子マネー決済機能を実行する際に、利用する電子マネー種が設定されていない場合、店舗装置２０のリーダライタ２０ｂから受信する利用可能マネー種コードに基づき、利用可能な電子マネー種毎の使用状況を勘案して最も決済に好適な電子マネー種を自動的に選択する機能を指す。
【００２１】
なお、電子マネー決済機能を実行する場合には、レジ端末２０ａと一体化されたリーダライタ２０ｂに携帯電話１０をかざして非接触決済を行う。そうすると、リーダライタ２０ｂが携帯電話１０の非接触ＩＣチップから受領した支払いデータをレジ端末２０ａがネットワークを介して電子マネーサービス管理装置３０に送出し、これにより電子マネー決済が行われる。決済後の電子マネー残高は、上記とは逆の経路を辿ってリーダライタ２０ｂから携帯電話１０の非接触ＩＣチップへデータ送出されて記憶される。
【００２２】
（２）携帯電話１０の構成
次に、図２を参照して携帯電話１０の構成を説明する。図２において、制御部１００は、ＣＰＵおよび入出力回路などから構成され、操作部１０８（後述する）から供給されるイベントに応じて各部動作を制御する。本発明の要旨に係わる制御部１００の特徴的な処理動作については追って詳述する。
【００２３】
ＲＯＭ１０１は、プログラムエリアおよびデータエリアを備える。ＲＯＭ１０１のプログラムエリアには、制御部１００により実行される各種プログラムが記憶される。ここで言う各種プログラムとは、追って詳述するメインルーチンを含む。ＲＯＭ１０１のデータエリアには、所定のプログラムにより参照される制御データの他、例えば待受画面などの各種表示画面を形成する画面データが格納される。
【００２４】
ＲＡＭ１０２は、制御部１００の処理に用いる各種レジスタ・フラグデータを一時記憶するワークエリアの他、上述した電子マネー種抽出機能や電子マネー種自動選択機能を実行する際に参照される電子マネー別店舗利用テーブル記憶部１０２ａ、電子マネー管理テーブル記憶部１０２ｂ、電子マネー使用履歴テーブル記憶部１０２ｃ、特典テーブル記憶部１０２ｄおよび店舗コード検索テーブル記憶部１０２ｅを備える。これら記憶部１０２ａ〜１０２ｅに記憶される各テーブルの構成については追って述べる。
【００２５】
無線通信送受信部１０３は、データ通信時には制御部１００の制御の下に、アンテナＡＮＴ１を介して基地局ＢＳとデータ授受を行い、音声通話時にはアンテナＡＮＴ１を介して受信復調した音声データを制御部１００に出力する一方、制御部１００から供給される音声データを変調して得た送信信号を高周波増幅してアンテナＡＮＴ１から送出する。
【００２６】
ＧＰＳ信号受信部１０４は、制御部１００の制御の下に、アンテナＡＮＴ２を介して受信したＧＰＳ信号に基づき現在位置を表す位置情報（緯度ＬＴ，経度ＬＧ）を発生して制御部１００に出力する。非接触ＩＣ部１０５は、非接触ＩＣチップ（例えばＦｅｌｉｃａチップ（登録商標））を備え、アンテナＡＮＴ３を介して店舗装置２０（図１参照）のリーダライタ２０ｂもしくはリーダライタ２０ｃと電磁結合方式で非接触データ通信を行う。非接触ＩＣ部１０５は、電磁結合に応じて起動された時点で起動イベントを発生して制御部１００に出力すると共に、非接触データ通信にてリーダライタ側から受信したデータを制御部１００に供給する。また、非接触ＩＣ部１０５が備える非接触ＩＣチップは、プリペイド番号などの認証情報や電子マネー残高情報を記憶保持する。
【００２７】
音声信号処理部１０６は、スピーカＳＰおよびマイクＭＩＣを備え、制御部１００から供給される音声データを音声信号にＤ／Ａ変換してスピーカＳＰから発音させたり、マイクＭＩＣから出力される音声信号を音声データにＡ／Ｄ変換して制御部１００に供給する。表示部１０７は、カラー液晶パネルおよび表示ドライバから構成され、制御部１００の制御の下に、待受画面など各種画面を表示する。
【００２８】
操作部１０８には、パワーオンオフする電源スイッチ、通話開始／終了時に操作されるオフフック／オンフックスイッチ、ダイヤルスイッチと兼用の文字入力スイッチ等の各種操作キーの他、後述する電子マネーアプリ選択操作、アプリダウンロード操作、電子マネー種選択操作およびロック解除操作を行うための各種操作ボタン等を有し、これらキーやボタンの操作に応じたイベントを発生して制御部１００に出力する。
【００２９】
（３）ＲＡＭ１０２の構成
次に、図３〜図７を参照してＲＡＭ１０２に設けられる電子マネー別店舗利用テーブル記憶部１０２ａ、電子マネー管理テーブル記憶部１０２ｂ、電子マネー使用履歴テーブル記憶部１０２ｃ、特典テーブル記憶部１０２ｄおよび店舗コード検索テーブル記憶部１０２ｅのデータ構成ついて説明する。
【００３０】
ａ．電子マネー別店舗利用テーブル記憶部１０２ａのデータ構成
電子マネー別店舗利用テーブル記憶部１０２ａには、図３に図示する一例の電子マネー別店舗利用テーブルＴ１が記憶される。電子マネー別店舗利用テーブルＴ１には、携帯電話１０で利用可能な「電子マネー種」毎に、利用した店舗を表す「店舗コード」と「利用回数」とが登録される。
【００３１】
こうした電子マネー別店舗利用テーブルＴ１は、上述した電子マネー種自動選択機能実行時に参照される。具体的には、店舗装置２０のリーダライタ２０ｃから受信した店舗コードに応じて、当該テーブルＴ１から対応する電子マネー種（利用した電子マネー種）を読み出し、読み出した電子マネー種が複数存在する場合には、それらに対応する利用回数の中で最も利用回数の多い電子マネー種を選択する。
【００３２】
ｂ．電子マネー管理テーブル記憶部１０２ｂのデータ構成
電子マネー管理テーブル記憶部１０２ｂには、図４に図示する一例の電子マネー管理テーブルＴ２が記憶される。電子マネー管理テーブルＴ２には、携帯電話１０で利用可能な「電子マネー種」毎の「電子マネー残高」、「累積ポイント」および「利用回数」が登録される。電子マネー管理テーブルＴ２は、上述した電子マネー種自動選択機能実行時に参照される。具体的には、店舗装置２０のリーダライタ２０ｂから受信した利用可能マネー種コードに該当する各電子マネー種の電子マネー残高を電子マネー管理テーブルＴ２から読み出し、その中で電子マネー残高が最も多い電子マネー種を選択する。
【００３３】
また、この電子マネー管理テーブルＴ２は、ユーザ操作（電子マネー種選択操作）で電子マネー種を選択する際にも参照される。例えば選択条件として「残高優先」が設定されている場合には、電子マネー管理テーブルＴ２から電子マネー残高が最も多い電子マネー種を選択候補として抽出する。選択条件として「利用回数」が設定されている場合には、電子マネー管理テーブルＴ２から利用回数が最も多い電子マネー種を選択候補として抽出する。
【００３４】
ｃ．電子マネー使用履歴テーブル記憶部１０２ｃのデータ構成
電子マネー使用履歴テーブル記憶部１０２ｃには、図５に図示する一例の電子マネー使用履歴テーブルＴ３が記憶される。電子マネー使用履歴テーブルＴ３には、電子マネー決済した日時を表す「使用日時」、使用した「電子マネー種」、「利用金額（決済額）」および電子マネー決済した店舗を表す「店舗コード」が登録される。なお、本実施形態では、電子マネー使用履歴テーブルＴ３をＲＡＭ１０２の電子マネー使用履歴テーブル記憶部１０２ｃに設ける態様としたが、これに限らず、非接触ＩＣ部１０５が備える非接触ＩＣチップに電子マネー使用履歴テーブルＴ３を設ける態様としても構わない。
【００３５】
ｄ．特典テーブル記憶部１０２ｄのデータ構成
特典テーブル記憶部１０２ｄには、図６に図示する一例の特典テーブルＴ４が記憶される。特典テーブルＴ４には、携帯電話１０で利用可能な「電子マネー種」毎に、特典内容を表す「優遇ポイント倍率」、特典が有効となる「期間」、「曜日」および「時間帯」が登録される。例えば、図６に図示する特典テーブルＴ４において、通常では支払額１００円毎に１ポイントが還元される電子マネー種Ａの場合、特典期間中（７月〜８月の毎週土曜日の午前中）に電子マネー決済すると、通常のポイントより３倍の優遇ポイントが与えられる特典を表している。
【００３６】
ｅ．店舗コード検索テーブル記憶部１０２ｅのデータ構成
店舗コード検索テーブル記憶部１０２ｅには、図７に図示する一例の店舗コード検索テーブルＴ５が記憶される。店舗コード検索テーブルＴ５には、電子マネー決済が可能な各店舗の位置を表す店舗位置情報（緯度ＬＴ，経度ＬＧ）と店舗コードとが対応付けて登録される。この店舗コード検索テーブルＴ５は、ＧＰＳ信号受信部１０４が出力する位置情報（緯度ＬＴ，経度ＬＧ）に基づき店舗コードを検索する際に参照される。
【００３７】
Ｂ．動作  
次に、図８〜図１４を参照して携帯電話１０の制御部１００が実行するメインルーチンの動作を説明する。なお、図８〜図１３はメインルーチンの動作を示すフローチャート、図１４はメインルーチンのステップＳ５４（図１３参照）において表示部１０７に表示されるマネー種変更案内画面の一例を示す図である。
【００３８】
先ず、ユーザの電源オン操作により携帯電話１０がパワーオンされると、制御部１００は図８に図示するメインルーチンのステップＳ１に処理を進める。ステップＳ１では、位置登録制御シーケンスを実行して無線通信網ＲＮ側に位置登録を行ってから待受状態に入る待受処理を実行する。これにより、表示部１０７には待受画面（図示略）が表示される。
【００３９】
続いて、ステップＳ２〜ステップＳ６では、それぞれ「着信検知」、「電子マネーの操作」、「非接触ＩＣ部起動」、「その他の操作」および「電源オフ操作」のイベントの有無を判断する。これらイベントが発生しなければ、上記ステップＳ２〜ステップＳ６の各判断結果はいずれも「ＮＯ」になり、上記ステップＳ１の待受状態で待機する。そして、待受状態下において上記イベントのいずれかが発生すると、その発生したイベントに対応した処理を実行する。以下、イベント別に分けて動作の説明を進める。
【００４０】
（１）着信検知した場合  
着信を検知すると、図８に図示するステップＳ２の判断結果が「ＹＥＳ」になり、ステップＳ７に進み、着信報知を行うと共に、この着信報知中にオフフック操作されたか否かを判断する。着信報知中にオフフック操作が行われなければ、判断結果は「ＮＯ」になり、上記ステップＳ１の待受状態に復帰する。
【００４１】
一方、着信報知中にオフフック操作されると、上記ステップＳ７の判断結果が「ＹＥＳ」になり、ステップＳ８に進み、発呼側と回線接続して通話を開始させる通話処理を実行する。次いで、ステップＳ９では、オンフック操作の有無を判断する。オンフック操作が行われなければ、ステップＳ９の判断結果は「ＮＯ」となり、上記ステップＳ８の通話処理を継続させるが、オンフック操作されると、ステップＳ９の判断結果が「ＹＥＳ」になり、ステップＳ１０に進む。そして、ステップＳ１０では、オンフック操作に応じて回線を断つ切断処理を実行した後、上記ステップＳ１の待受状態に復帰する。
【００４２】
（２）電子マネーの操作が行われた場合  
電子マネーに関する操作が行われると、ステップＳ３の判断結果が「ＹＥＳ」になり、図９に図示するステップＳ１１〜Ｓ１２において、電子マネーに関する操作が「電子マネーアプリ選択操作」、「ロック解除操作」および「その他の操作」のいずれであるかを判断する。以下では、「ａ．電子マネーアプリ選択操作」、「ｂ．ロック解除操作」および「ｃ．その他の操作」の各場合に分けて動作を説明する。
【００４３】
ａ．電子マネーアプリ選択操作が行われた場合
この場合、図９に図示するステップＳ１１の判断結果が「ＹＥＳ」になり、ステップＳ１３に進み、メニュー選択する。メニュー選択とは、電子マネーアプリ選択操作下で起動可能な機能項目（アプリダウンロード、電子マネー種選択およびその他の処理）をメニュー画面（不図示）に表示し、このメニュー画面上で起動させる機能項目を選択する操作を指す。以下、メニュー選択により「アプリダウンロード」が選択された場合の動作と、「電子マネー種選択」が選択された場合の動作とに分けて説明を進める。
【００４４】
なお、メニュー選択において、上記の「アプリダウンロード」および「電子マネー種選択」以外が選択された場合には、ステップＳ１４およびステップＳ２０の各判断結果がいずれも「ＮＯ」となり、ステップＳ２１に進み、その他の処理を実行する。その他の処理とは、例えばＲＡＭ１０２の特典テーブル記憶部１０２ｄに記憶される特典テーブルＴ４の登録内容を更新するための情報をネットワーク上の電子マネーサービス管理装置３０（図１参照）から受信する処理などを指す。そして、その他の処理が完了すると、上記ステップＳ１（図８参照）の待受状態に復帰する。
【００４５】
ａ−１．アプリダウンロードが選択された場合
上記ステップＳ１３のメニュー選択において、「アプリダウンロード」が選択された場合には、ステップＳ１４の判断結果が「ＹＥＳ」となり、ステップＳ１５に進み、ダウンロード可能なマネー種別の電子マネーアプリの名称を一覧するアプリメニューを表示部１０７に画面表示する。次いで、ステップＳ１６では、このアプリメニューに表示されたマネー種別の電子マネーアプリの名称の内からダウンロードしたいマネー種の電子マネーアプリの名称を選択する。
【００４６】
そうすると、ステップＳ１７に進み、選択したマネー種の電子マネーアプリを提供するサービスプロバイダの電子マネーサービス管理装置３０（図１参照）に接続してダウンロード要求を送出する。そして、ステップＳ１８では、ダウンロード要求に応じて電子マネーサービス管理装置３０からダウンロードされる電子マネーアプリを受信し、続くステップＳ１９では、ダウンロード受信した電子マネーアプリを実行できるように追加設定した後、上記ステップＳ１（図８参照）の待受状態に復帰する。
【００４７】
ａ−２．電子マネー種選択が選択された場合
上記ステップＳ１３のメニュー選択において、「電子マネー種選択」が選択された場合には、ステップＳ２０の判断結果が「ＹＥＳ」となり、図１０に図示するステップＳ２２に進む。ステップＳ２２では、電子マネー決済に使用する電子マネー種を自動的に選択する自動設定モードであるか否かを判断する。以下では、自動設定モードでない場合と自動設定モードの場合とに分けて動作を説明する。
【００４８】
＜自動設定モードでない場合＞
自動設定モードでなければ、上記ステップＳ２２の判断結果は「ＮＯ」となり、ステップＳ２３に進み、携帯電話１０において使用可能な全ての電子マネー種を選択候補として表示部１０７に画面表示する。この後、図１１に図示するステップＳ３３に進み、図１に図示する店舗装置２０を備えた店舗に入店した際に、当該店舗装置２０のリーダライタ２０ｃから利用可能マネー種コード（店舗データ）を受信したか否かを判断する。
【００４９】
利用可能マネー種コードを受信していなければ、判断結果は「ＮＯ」となり、後述のステップＳ３５に進む。一方、利用可能マネー種コードを受信していると、上記ステップＳ３３の判断結果は「ＹＥＳ」になり、ステップＳ３４に進む。ステップＳ３４では、上記ステップＳ２３（図１０参照）で挙げた選択候補、すなわち携帯電話１０で使用可能な全ての電子マネー種の内から、受信した利用可能マネー種コードで指定され、店舗で利用可能な電子マネー種を選択候補として再抽出する。
【００５０】
続いて、ステップＳ３５では、利用可能マネー種コードを受信していなければ、携帯電話１０で使用可能な全ての電子マネー種を選択候補として表示部１０７に画面表示する。また、ステップＳ３５では、利用可能マネー種コードを受信していれば、携帯電話１０で使用可能な全ての電子マネー種の内から店舗で利用可能な電子マネー種を再抽出して表示部１０７に画面表示する。そして、ステップＳ３６では、表示部１０７に画面表示された選択候補の中からユーザ操作で指定される電子マネー種を選択する。
【００５１】
次いで、ステップＳ３７では、上記ステップＳ３６で選択された電子マネー種の電子マネーアプリで具現される電子マネー決済機能の実行を可能にするロック解除設定を行い、続くステップＳ３８では、ロック解除設定により電子マネー決済機能が実行可能となった電子マネー種を示すアイコン画像を表示部１０７に画面表示させた後、上記ステップＳ１（図８参照）の待受状態に復帰する。
【００５２】
＜自動設定モードの場合＞
一方、自動設定モード下ならば、図１０に図示するステップＳ２２の判断結果が「ＹＥＳ」になり、ステップＳ２４に進む。ステップＳ２４では、自動設定する条件が「残高優先」であるか否かを判断する。自動設定する条件が「残高優先」ならば、判断結果は「ＹＥＳ」となり、ステップＳ２５に進む。ステップＳ２５では、ＲＡＭ１０２の電子マネー管理テーブル記憶部１０２ｂに記憶される電子マネー管理テーブルＴ２（図４参照）の各電子マネー種毎の電子マネー残高を比較し、続くステップＳ２６では、その比較結果に基づき電子マネー残高が最も多い電子マネー種を選択候補として抽出した後、上述したステップＳ３３（図１１参照）に進む。なお、電子マネー残高の最も多い電子マネー種が複数種存在する場合には、それらを選択候補として抽出する。
【００５３】
これに対し、自動設定する条件が「利用回数」であると、上記ステップＳ２４（図１０参照）の判断結果が「ＮＯ」になり、ステップＳ２７に進む。ステップＳ２７では、ＲＡＭ１０２の電子マネー管理テーブル記憶部１０２ｂに記憶される電子マネー管理テーブルＴ２（図４参照）の各電子マネー種毎の利用回数を比較し、続くステップＳ２８では、その比較結果に基づき利用回数が最も多い電子マネー種を選択候補として抽出した後、上述したステップＳ３３（図１１参照）に進む。なお、利用回数の最も多い電子マネー種が複数種存在する場合には、それらを選択候補として抽出する。
【００５４】
さて、以上のようにして、自動設定する条件が「残高優先」ならば、電子マネー残高の最も多い電子マネー種が選択候補として抽出され、自動設定する条件が「利用回数」ならば、利用回数の最も多い電子マネー種が選択候補として抽出されると、図１１に図示するステップＳ３３に処理を進める。ステップＳ３３では、図１に図示する店舗装置２０を備えた店舗に入店した際に、当該店舗装置２０のリーダライタ２０ｃから利用可能マネー種コード（店舗データ）を受信したか否かを判断する。
【００５５】
利用可能マネー種コードを受信していなければ、ステップＳ３３の判断結果は「ＮＯ」となり、後述のステップＳ３５に進む。これに対し、利用可能マネー種コードを受信していると、上記ステップＳ３３の判断結果は「ＹＥＳ」になり、ステップＳ３４に進む。ステップＳ３４では、自動設定する条件が「残高優先」ならば、利用可能マネー種コードで指定され、店舗で利用可能な電子マネー種の内から上記ステップＳ２６で抽出した電子マネー残高の最も多い電子マネー種を選択候補として再抽出する。また、ステップＳ３４では、自動設定する条件が「利用回数」ならば、利用可能マネー種コードで指定され、店舗で利用可能な電子マネー種の内から上記ステップＳ２８で抽出した使用回数の最も多い電子マネー種を選択候補として再抽出する。
【００５６】
続いて、ステップＳ３５では、抽出した電子マネー種を表示部１０７に画面表示する。すなわち、ステップＳ３５では、利用可能マネー種コードを受信しておらず、かつ自動設定する条件が「残高優先」の場合には、上記ステップＳ２６で抽出した電子マネー残高の最も多い電子マネー種を選択候補として表示部１０７に画面表示する。あるいは利用可能マネー種コードを受信しておらず、かつ自動設定する条件が「利用回数」の場合には、上記ステップＳ２８で抽出した利用回数の最も多い電子マネー種を選択候補として表示部１０７に画面表示する。
【００５７】
また、ステップＳ３５では、受信した利用可能マネー種コードで指定され、店舗で利用可能な電子マネー種の内から上記ステップＳ２６で抽出した電子マネー残高の最も多い電子マネー種を再抽出した場合には、その再抽出された電子マネー種を選択候補として表示部１０７に画面表示する。あるいは受信した利用可能マネー種コードで指定され、店舗で利用可能な電子マネー種の内から上記ステップＳ２８で抽出した利用回数の最も多い電子マネー種を再抽出した場合には、その再抽出された電子マネー種を選択候補として表示部１０７に画面表示する。
【００５８】
そして、ステップＳ３６では、表示部１０７に画面表示された選択候補の中からユーザ操作で指定される電子マネー種を選択する。次いで、ステップＳ３７では、上記ステップＳ３６で選択された電子マネー種の電子マネーアプリで具現される電子マネー決済機能の実行を可能にするロック解除設定を行い、続くステップＳ３８では、ロック解除設定により電子マネー決済機能が実行可能となった電子マネー種を示すアイコン画像を表示部１０７に画面表示させた後、上記ステップＳ１（図８参照）の待受状態に復帰する。
【００５９】
ｂ．ロック解除操作が行われた場合
電子マネー決済に使用する電子マネー種を変更すべくロック解除操作が行われた場合には、図９に図示するステップＳ１２の判断結果が「ＹＥＳ」になり、図１１に図示するステップＳ２９に進む。ステップＳ２９では、表示部１０７にパスワード入力画面（不図示）を画面表示する。そして、このパスワード入力画面にパスワード（ロック番号）が入力されると、ステップＳ３０に進み、入力されたパスワードがロック解除用のロック番号に一致するかどうかをを判断する。
【００６０】
入力されたパスワードがロック解除用のロック番号に一致しなければ、判断結果は「ＮＯ」になり、上記ステップＳ１（図８参照）の待受状態に復帰するが、入力されたパスワードがロック解除用のロック番号に一致すると、上記ステップＳ３０の判断結果が「ＹＥＳ」になり、ステップＳ３１に進む。次いで、ステップＳ３１では、ＲＡＭ１０２の特典テーブル記憶部１０２ｄに記憶される特典テーブルＴ４（図６参照）に基づき、現在日時における優遇ポイント倍率を勘案して各電子マネー種毎のポイントを比較する。
【００６１】
続いて、ステップＳ３２では、現在日時における優遇ポイント倍率を勘案した各電子マネー種毎のポイントの中で最も還元率の高いポイントの電子マネー種を選択候補として抽出する。なお、最も還元率の高いポイントの電子マネー種が複数種存在する場合には、それらを選択候補として抽出する。そして、ステップＳ３３では、図１に図示する店舗装置２０を備えた店舗に入店した際に、当該店舗装置２０のリーダライタ２０ｃから利用可能マネー種コード（店舗データ）を受信したか否かを判断する。
【００６２】
利用可能マネー種コードを受信していなければ、ステップＳ３３の判断結果は「ＮＯ」となり、後述のステップＳ３５に進む。これに対し、利用可能マネー種コードを受信していると、上記ステップＳ３３の判断結果は「ＹＥＳ」になり、ステップＳ３４に進む。ステップＳ３４では、受信した利用可能マネー種コードで指定され、店舗で利用可能な電子マネー種の内から、現在日時において最も還元率の高いポイントの電子マネー種を選択候補として再抽出する。
【００６３】
続いて、ステップＳ３５では、利用可能マネー種コードを受信していなければ、現在日時において最も還元率の高いポイントの電子マネー種を選択候補として表示部１０７に画面表示する。また、ステップＳ３５では、利用可能マネー種コードを受信していれば、受信した利用可能マネー種コードで指定され、店舗で利用可能な電子マネー種の内から、現在日時において最も還元率の高いポイントの電子マネー種を再抽出して表示部１０７に画面表示する。
【００６４】
そして、ステップＳ３６では、表示部１０７に画面表示された選択候補の中からユーザ操作で指定される電子マネー種を選択する。次いで、ステップＳ３７では、上記ステップＳ３６で選択された電子マネー種の電子マネーアプリで具現される電子マネー決済機能の実行を可能にするロック解除設定を行い、続くステップＳ３８では、ロック解除設定により電子マネー決済機能が実行可能となった電子マネー種を示すアイコン画像を表示部１０７に画面表示させた後、上記ステップＳ１（図８参照）の待受状態に復帰する。
【００６５】
ｃ．その他の操作が行われた場合
電子マネーに関する「その他の操作」として、例えばオンラインチャージ機能の実行を指示する操作が行われたとする。そうすると、図９に図示するステップＳ１１〜Ｓ１２の各判断結果が「ＮＯ」になり、ステップＳ３９に進み、その他の処理として、オンラインチャージ機能を実行する。すなわち、前述した移動無線通信機能を用い、無線通信網ＲＮを経由してネットワーク上の電子マネーサービス管理装置３０に接続し、非接触ＩＣ部１０５が備える非接触ＩＣチップ（不図示）に記憶される認証情報（例えばプリペイド番号）に基づきアクセス認証してからチャージ額（入金額）を当該管理装置３０に登録する一方、これに応じて当該管理装置３０が発生する指示に従って非接触ＩＣチップに記憶される電子マネー残高や、前述した電子マネー管理テーブルＴ２（図４参照）に登録され、チャージした電子マネー種の電子マネー残高を更新した後、上記ステップＳ１の待受状態に復帰する。
【００６６】
（３）非接触ＩＣ部起動の場合
非接触ＩＣ部１０５が起動イベントを発生すると、図８に図示するステップＳ４の判断結果が「ＹＥＳ」になり、図１２に図示するステップＳ４０に処理を進める。ステップＳ４０〜Ｓ４１では、非接触ＩＣ部１０５から供給され、非接触データ通信を行ったリーダライタの種別を表すデータに基づき、非接触データ通信先を判別する。以下では、非接触データ通信先が、前述した店舗装置２０（図１参照）に設けられた店舗情報送出用のリーダライタ２０ｃや電子マネー決済用のリーダライタ２０ｂ以外の「ａ．その他の場合」と、「ｂ．リーダライタ２０ｃの場合」と、「ｃ．リーダライタ２０ｂの場合」とに分けて動作を説明する。
【００６７】
ａ．その他の場合
非接触データ通信先が、リーダライタ２０ｃやリーダライタ２０ｂ以外の場合には、ステップＳ４０〜Ｓ４１の各判断結果がいずれも「ＮＯ」になり、ステップＳ４２に進み、例えば駅改札等に設けられるリーダライタとの非接触データ通信にて授受されるデータに基づき周知の自動改札処理などの、その他の処理を実行した後、前述したステップＳ１（図８参照）の待受状態に復帰する。
【００６８】
ｂ．リーダライタ２０ｃの場合
非接触データ通信先が店舗情報送出用のリーダライタ２０ｃの場合、すなわち前述した店舗装置２０（図１参照）を備えた店舗への入店時に、その店舗の出入り口に設けられたリーダライタ２０ｃと通信した場合には、ステップＳ４０の判断結果が「ＹＥＳ」になり、ステップＳ４３に進み、リーダライタ２０ｃから送出され、店舗コードと当該店舗で利用可能な電子マネー種を表す利用可能マネー種コードとを含む店舗データを受信する。
【００６９】
次いで、ステップＳ４４では、電子マネー決済に使用する電子マネー種を自動的に選択する自動設定モードであるか否かを判断する。自動設定モードでなければ、判断結果は「ＮＯ」となり、前述したステップＳ１（図８参照）の待受状態に復帰するが、自動設定モード下ならば、上記ステップＳ４４の判断結果は「ＹＥＳ」になり、ステップＳ４５に進む。ステップＳ４５では、上記ステップＳ４３にて受信した店舗コードの店舗で利用した電子マネー種を、ＲＡＭ１０２の電子マネー別店舗利用テーブル記憶部１０２ａに記憶される電子マネー別店舗利用テーブルＴ１（図３参照）から抽出する。
【００７０】
そして、ステップＳ４６では、上記ステップＳ４５にて抽出された電子マネー種が１つであるか否かを判断する。店舗コードの店舗で利用した電子マネー種が１つならば、判断結果は「ＹＥＳ」になり、図１１に図示するステップＳ３７に進み、その店舗で利用したことのある電子マネー種の電子マネーアプリで具現される電子マネー決済機能の実行を可能にするロック解除設定を行い、続くステップＳ３８では、ロック解除設定により電子マネー決済機能が実行可能となった電子マネー種を示すアイコン画像を表示部１０７に画面表示させた後、前述したステップＳ１（図８参照）の待受状態に復帰する。
【００７１】
一方、上記ステップＳ４５で抽出された電子マネー種、すなわち受信した店舗コードの店舗で利用した電子マネー種が複数種存在する場合には、上記ステップＳ４６の判断結果が「ＮＯ」になり、ステップＳ４７に進む。ステップＳ４７では、電子マネー別店舗利用テーブルＴ１（図３参照）において、上記ステップＳ４３にて受信した店舗コードの店舗で利用された各電子マネー種毎の利用回数を比較し、続くステップＳ４８では、その比較結果に基づき利用回数が最も多い電子マネー種を選択する。なお、利用回数の最も多い電子マネー種が複数種存在する場合には、それらを選択する。
【００７２】
この後、図１１に図示するステップＳ３７に進み、上記ステップＳ４８において選択され、利用回数の最も多い電子マネー種の電子マネーアプリで具現される電子マネー決済機能の実行を可能にするロック解除設定を行い、続くステップＳ３８では、ロック解除設定により電子マネー決済機能が実行可能となった電子マネー種を示すアイコン画像を表示部１０７に画面表示させた後、前述したステップＳ１（図８参照）の待受状態に復帰する。
【００７３】
ｃ．リーダライタ２０ｂの場合
非接触データ通信先が電子マネー決済用のリーダライタ２０ｂの場合、すなわち前述した店舗装置２０（図１参照）を備えた店舗のレジ端末２０ａにて電子マネー決済するためにリーダライタ２０ｂと通信した場合には、図１２に図示するステップＳ４１の判断結果が「ＹＥＳ」になり、図１３に図示するステップＳ４９に進み、リーダライタ２０ｂから利用金額（決済額）と利用可能マネー種コードとを受信する。次いで、ステップＳ５０では、マネー種設定の有無、つまりロック解除された電子マネー種が有るか否かを判断する。以下、マネー種設定されている場合と、マネー種設定されていない場合とに分けて動作を説明する。
【００７４】
＜マネー種設定されている場合＞
マネー種設定されていると、上記ステップＳ５０の判断結果は「ＹＥＳ」になり、ステップＳ５１に進み、ロック解除された電子マネー種が店舗のレジ端末２０ａで利用可能な電子マネー種に含まれるか否かを判断する。ロック解除された電子マネー種が店舗で利用可能な電子マネー種に含まれていれば、判断結果は「ＹＥＳ」になり、ステップＳ５６に進み、ロック解除された電子マネー種で電子マネー決済を実行する。
【００７５】
そして、ステップＳ５７では、電子マネー決済されたことに対応して、ＲＡＭ１０２の電子マネー使用履歴テーブル記憶部１０２ｃに記憶される電子マネー使用履歴テーブルＴ３（図５参照）に使用履歴（電子マネー決済した日時を表す「使用日時」、使用した「電子マネー種」、「利用金額」および電子マネー決済した店舗を表す「店舗コード」）を更新登録する。
【００７６】
また、ステップＳ５７では、ＲＡＭ１０２の電子マネー管理テーブル記憶部１０２ｂに記憶される電子マネー管理テーブルＴ２（図４参照）の登録内容の内、上記ステップＳ５６において電子マネー決済した「電子マネー種」の「電子マネー残高」、「累積ポイント」および「利用回数」を更新する。続いて、ステップＳ５８では、ＲＡＭ１０２の電子マネー別店舗利用テーブル記憶部１０２ａに記憶される電子マネー別店舗利用テーブルＴ１（図３参照）の登録内容の内、上記ステップＳ５６において電子マネー決済した「電子マネー種」を利用した店舗を表す「店舗コード」および「利用回数」を更新した後、前述したステップＳ１（図８参照）の待受状態に復帰する。
【００７７】
これに対し、ロック解除された電子マネー種が店舗で利用可能な電子マネー種に含まれていない場合、すなわちロック解除された電子マネー種が店舗で使用できなければ、上記ステップＳ５１の判断結果は「ＮＯ」になり、ステップＳ５２に進む。ステップＳ５２では、ロック解除された電子マネー種以外の他の利用可能な電子マネー種の有無を判断する。他の利用可能な電子マネー種が存在しなければ、判断結果は「ＮＯ」となり、ステップＳ５３に進み、電子マネー決済することが出来ない旨を表すＮＧ報知（例えば警告音発生等）を行った後、前述したステップＳ１（図８参照）の待受状態に復帰する。
【００７８】
一方、他の利用可能な電子マネー種が存在すると、上記ステップＳ５２の判断結果は「ＹＥＳ」になり、ステップＳ５４に進み、例えば図１４に図示する一例のように、他の利用可能な電子マネー種への変更をユーザに案内するマネー種変更案内画面を表示部１０７に表示する。そして、このマネー種変更案内画面下部に配設される「ＯＫ」部分に対応付けられた操作キーを操作すると、店舗で利用できる電子マネー種に変更され、かつステップＳ５５の判断結果が「ＹＥＳ」となり、ステップＳ５６において、変更された電子マネー種（店舗で利用できる電子マネー種）にて電子マネー決済を実行する。
【００７９】
なお、マネー種変更案内画面下部に配設される「ＯＫ」部分に対応付けられた操作キーが操作されない場合には、上記ステップＳ５５の判断結果が「ＮＯ」になり、ステップＳ５３に進み、電子マネー決済出来ない旨を表すＮＧ報知を行った後、前述したステップＳ１（図８参照）の待受状態に復帰する。
【００８０】
店舗で利用できる電子マネー種に変更して電子マネー決済を実行した後、ステップＳ５７に進むと、電子マネー管理テーブルＴ２（図４参照）の登録内容の内、上記ステップＳ５６において電子マネー決済した「電子マネー種」の「電子マネー残高」、「累積ポイント」および「利用回数」を更新し、続くステップＳ５８では、電子マネー別店舗利用テーブルＴ１（図３参照）の登録内容の内、上記ステップＳ５６において電子マネー決済した「電子マネー種」を利用した店舗を表す「店舗コード」および「利用回数」を更新した後、前述したステップＳ１（図８参照）の待受状態に復帰する。
【００８１】
＜マネー種設定されていない場合＞
ロック解除された電子マネー種が無く、マネー種設定されていない場合には、上述したステップＳ５０の判断結果が「ＮＯ」になり、ステップＳ５９に進む。ステップＳ５９では、ＲＡＭ１０２の電子マネー管理テーブル記憶部１０２ｂに記憶される電子マネー管理テーブルＴ２（図４参照）に登録された電子マネー種の中から店舗で利用可能な電子マネー種（上記ステップＳ４９で受信した利用可能マネー種コードで指定される電子マネー種）を抽出する。
【００８２】
次いで、ステップＳ６０では、上記ステップＳ５９において抽出した電子マネー種毎の電子マネー残高を電子マネー管理テーブルＴ２から読み出す。続いて、ステップＳ６１では、電子マネー管理テーブルＴ２から読み出され、店舗で利用可能な各電子マネー種毎の電子マネー残高の内、利用金額（決済額）以上の残高がある電子マネー種を抽出する。そして、ステップＳ６２では、利用金額（決済額）以上の残高がある電子マネー種の有無を判断する。該当する電子マネー種が無ければ、判断結果は「ＮＯ」になり、ステップＳ５３に進み、電子マネー決済出来ない旨を表すＮＧ報知を行った後、前述したステップＳ１（図８参照）の待受状態に復帰する。
【００８３】
一方、利用金額（決済額）以上の残高を有する電子マネー種が有ると、上記ステップＳ６２の判断結果は「ＹＥＳ」になり、ステップＳ６３に進み、その該当マネー種が複数種存在するかどうかを判断する。利用金額（決済額）以上の残高を有する電子マネー種が１つならば、判断結果は「ＮＯ」になり、ステップＳ５６に進み、利用金額（決済額）以上の残高を有する唯一の電子マネー種で電子マネー決済を実行する。
【００８４】
この後、ステップＳ５７に進み、電子マネー管理テーブルＴ２（図４参照）の登録内容の内、上記ステップＳ５６において電子マネー決済した「電子マネー種」の「電子マネー残高」、「累積ポイント」および「利用回数」を更新し、続くステップＳ５８では、電子マネー別店舗利用テーブルＴ１（図３参照）の登録内容の内、上記ステップＳ５６において電子マネー決済した「電子マネー種」を利用した店舗を表す「店舗コード」および「利用回数」を更新した後、前述したステップＳ１（図８参照）の待受状態に復帰する。
【００８５】
これに対し、利用金額（決済額）以上の残高を有する電子マネー種が複数種有ると、上記ステップＳ６３の判断結果は「ＹＥＳ」となり、ステップＳ６４に進み、その複数種の電子マネー種の内で最も残高の多い電子マネー種を選択する。そして、ステップＳ５６に進み、選択した電子マネー種で電子マネー決済を実行する。この後、ステップＳ５７に進み、電子マネー管理テーブルＴ２（図４参照）の登録内容の内、上記ステップＳ５６において電子マネー決済した「電子マネー種」の「電子マネー残高」、「累積ポイント」および「利用回数」を更新し、続くステップＳ５８では、電子マネー別店舗利用テーブルＴ１（図３参照）の登録内容の内、上記ステップＳ５６において電子マネー決済した「電子マネー種」を利用した店舗を表す「店舗コード」および「利用回数」を更新した後、前述したステップＳ１（図８参照）の待受状態に復帰する。
【００８６】
（４）その他の操作が行われた場合  
その他の操作がなされた場合には、図８に図示するステップＳ５の判断結果が「ＹＥＳ」となり、ステップＳ６５に進み、その他の操作に対応した処理を実行する。その他の操作に対応した処理とは、例えばメール作成やメール送信などの処理を指す。そして、その他の操作に対応した処理を実行した後は、前述したステップＳ２に処理を戻して待受状態に復帰する。
【００８７】
（５）電源オフ操作が行われた場合  
この場合、図８に図示するステップＳ８の判断結果が「ＹＥＳ」になり、ステップＳ６６に進み、電源オフ処理を実行した後、本処理を完了させる。
【００８８】
以上のように、本実施形態では、電子マネー決済する際に、リーダライタ２０ｂとの非接触データ通信により店舗で利用可能な電子マネー種を受信すると、店舗で利用可能であって、かつ利用金額（決済額）以上の残高がある電子マネー種を、ＲＡＭ１０２の電子マネー管理テーブル記憶部１０２ｂに記憶される電子マネー管理テーブルＴ２（図４参照）から検索し、該当する電子マネー種が複数種存在する場合にはその中で最も残高の多い電子マネー種で電子マネー決済するので、複数の電子マネー種の内から決済に最も好適な電子マネー種を自動的に選択することができる。
【００８９】
また、本実施形態では、電子マネー決済用に選択（ロック解除）された電子マネー種が店舗で利用可能な電子マネー種に含まれていない場合、その選択された電子マネー種以外の他の利用可能な電子マネー種の有無を判断し、該当する電子マネー種が有れば、その電子マネー種への変更をユーザに案内表示し、その案内表示に従ったユーザ操作に応じて店舗で利用可能な電子マネー種に変更するので、予め選択しておいた電子マネー種が使用不可であることを即座にユーザに案内でき、しかも案内に従ったユーザ操作に応じて、店舗で利用可能な他の電子マネー種に変更することができる。
【００９０】
さらに、本実施形態では、店舗装置２０を備えた店舗への入店時に、リーダライタ２０ｃと非接触データ通信して店舗コードと当該店舗で利用可能な電子マネー種を表す利用可能マネー種コードとを含む店舗データを受信すると、受信した店舗コードの店舗で利用したことがある電子マネー種の内で最も利用回数の多い電子マネー種を、ＲＡＭ１０２の電子マネー別店舗利用テーブル記憶部１０２ａに記憶される電子マネー別店舗利用テーブルＴ１（図３参照）から選択して電子マネー決済用の電子マネー種に設定するので、入店した店舗での決済に最も好適な電子マネー種を複数の電子マネー種の内から自動的に選択することができる。
【００９１】
また、本実施形態では、ＲＡＭ１０２の特典テーブル記憶部１０２ｄに記憶される特典テーブルＴ４（図６参照）から現在日時における優遇ポイント倍率を勘案した各電子マネー種毎のポイントの中で最も還元率の高いポイントの電子マネー種を選び出して電子マネー決済用に設定するので、複数の電子マネー種の内から決済に最も好適な電子マネー種を自動的に選択することができる。
【００９２】
なお、上述した実施形態では、店舗装置２０を備えた店舗への入店時に、リーダライタ２０ｃと非接触データ通信して店舗コードを受信し、受信した店舗コードの店舗で利用した電子マネー種を、ＲＡＭ１０２の電子マネー別店舗利用テーブル記憶部１０２ａに記憶される電子マネー別店舗利用テーブルＴ１（図３参照）から抽出する（図１２のステップＳ４５）ようにしたが、これに替えて、店舗装置２０を備えていない店舗に入店する場合には、ＧＰＳ信号受信部１０４から出力される位置情報（緯度ＬＴ，経度ＬＧ）に応じて、ＲＡＭ１０２の店舗コード検索テーブル記憶部１０２ｅに記憶される店舗コード検索テーブルＴ５（図７参照）から対応する店舗コードを読み出し、読み出した店舗コードで利用した電子マネー種を電子マネー別店舗利用テーブルＴ１から抽出することも可能である。このようにすることで店舗装置２０を備えていない店舗で利用した電子マネー種を検索することが可能になる。
【００９３】
また、上述した実施形態では、携帯電話１０を一例として挙げたが、本発明の要旨は、これに限定されるものではなく、無線通信機能および電子マネーサービス機能を備える携帯型の電子機器全般に適用可能であることは言うまでもない。
【符号の説明】
【００９４】
１０  携帯電話
２０  店舗装置
２０ａ  レジ端末
２０ｂ  リーダライタ
２０ｃ  リーダライタ
３０  電子マネーサービス提供装置
１００  制御部
１０１  ＲＯＭ
１０２  ＲＡＭ
１０２ａ  電子マネー別店舗利用テーブル記憶部
１０２ｂ  電子マネー管理テーブル記憶部
１０２ｃ  電子マネー使用履歴テーブル記憶部
１０２ｄ  特典テーブル記憶部
１０２ｅ  店舗コード検索テーブル記憶部
１０３  無線通信送受信部
１０４  ＧＰＳ信号受信部
１０５  非接触ＩＣ部
１０６  音声信号処理部
１０７  表示部
１０８  操作部
【図１】
0005652892.tif 000002
【図２】
0005652892.tif 000003
【図３】
0005652892.tif 000004
【図４】
0005652892.tif 000005
【図５】
0005652892.tif 000006
【図６】
0005652892.tif 000007
【図７】
0005652892.tif 000008
【図８】
0005652892.tif 000009
【図９】
0005652892.tif 000010
【図１０】
0005652892.tif 000011
【図１１】
0005652892.tif 000012
【図１２】
0005652892.tif 000013
【図１３】
0005652892.tif 000014
【図１４】
0005652892.tif 000015